(57)【要約】【課題】  ゲル中又は液体中の所望の上下位置に所望の上下関係を維持して配置することのできる装飾体等を提供する。【解決手段】  容器２内には、液体芳香剤６が収容されており、この液体芳香剤６中であって容器２の底部２ａ上には、装飾体７が配置されている。この装飾体７は、人を模した形状であって、頭部７ａと該頭部７ａ以外の部分である胴部７ｂとが一体的に形成されてなる。頭部７ａは液体芳香剤６よりも比重の小さい軽素材８で形成され、胴部７ｂは液体芳香剤６よりも比重の大きい重素材９で形成されている。なお、頭部７ａと胴部７ｂとからなる装飾体７の全体の比重は、液体芳香剤６よりも大きい比重に設定されている。【選択図】        図１
2005153191.tif 000002
【特許請求の範囲】
【請求項１】
ゲル中又は液体中に配置される装飾体であって、比重が前記ゲル又は液体よりも小さい軽素材と、比重が前記ゲル又は液体よりも大きい重素材とにより形成されてなることを特徴とする装飾体。
【請求項２】
前記軽素材と前記重素材との二材により一体成形されたことを特徴とする請求項１記載の装飾体。
【請求項３】
前記軽素材が、熱可塑性樹脂を発泡成形したものであることを特徴とする請求項１又は２記載の装飾体。
【請求項４】
前記重素材が、ポリアルキレンオキサイド系吸水性樹脂又は熱可塑性ポリウレタン系吸水性樹脂から選ばれる少なくとも１種であることを特徴とする請求項１又は２記載の装飾体。
【請求項５】
内部を透視可能な容器内にゲル状又は液状の薬剤を収容し、この薬剤中に請求項１から４にいずれか記載の装飾体を配置したことを特徴とする薬剤器。
【請求項６】
前記液状の薬剤に浸漬された吸液芯を有し、この吸液芯を介して前記液状の薬剤を外部に導出して揮散させるものであることを特徴とする請求項５記載の薬剤器。
【請求項７】
前記容器は上部開口状であって、前記ゲル状の薬剤収容し、該ゲル状の薬剤は揮散性を有するものであることを特徴とする請求項５記載の薬剤器。
【発明の詳細な説明】
【技術分野】
【０００１】
本発明は、ゲル中又は液体中に配置される装飾体、及びゲル状又は液状の薬剤を収容してなる薬剤器に関する。
【背景技術】
【０００２】
従来より、トイレや部屋の空間に芳香を付与する薬剤器が種々提案されている。それらを大別すると、香料を含む芳香液をゲル化剤を用いてゲル化させ、このゲル状薬剤を上部開口状の容器に収容したゲルタイプの薬剤器と、容器内に収容された香料を含む芳香液に吸液芯を浸漬し、この吸液芯を介して芳香液を外部に導出して揮散させる液体タイプの薬剤器とが挙げられる。また、これらの薬剤器の容器は、内部の薬剤の残量を外部から視認することを可能にすべく、透明あるいは半透明で外部から透視可能なものが用いられている。
【０００３】
これらの薬剤器は、トイレや車内、室内で使用され、比較的人目に付きやすい場所で使用されるものであるため、芳香を空間に付与する機能と同時に装飾性を高めることが商品価値を向上させる重要な要素である。このため、薬剤器の装飾性を高めるために、ゲル状の芳香剤中に装飾体を配置した薬剤器（例えば、特許文献１、特許文献２参照。）、あるいは液状の芳香剤中に装飾体を配置した薬剤器（例えば、特許文献３参照。）が提案されるに至っている。
【特許文献１】実開平２−７７０４７号公報
【特許文献２】特開２００１−３１４７２８号公報
【特許文献３】特開平７−４７１１１号公報
【発明の開示】
【発明が解決しようとする課題】
【０００４】
しかしながら、前述した従来の薬剤器においては、薬剤と当該薬剤中に配置される装飾体との比重的な関係が全く考慮されていないことから、装飾体が容器の底部に沈んでしまい、十分な装飾性が得られるものではなかった。また、人や動物等を模した装飾体のように配置形態の上下関係が決まっている装飾体の場合、上下関係に従って上部に位置しなければならない部位が常に上部に位置し、下部に位置しなければならない部位が常に下部に位置するように配置することは困難であった。
【０００５】
無論、特許文献２に開示されているように、装飾体を支持する支持部材を設けこの支持部材とともに装飾体を薬剤内に配置するようにすれば、当該装飾体の上下関係を適正に維持して配置することができる。しかし、このように別途支持部材を設けると、構造が複雑化するばかりでなく支持部材の存在により装飾性が低下してしまう。
【０００６】
本発明は、このような従来の課題に鑑みてなされたものであり、ゲル中又は液体中の所望の上下位置に所望の上下関係を維持して配置することのできる装飾体、及び該装飾体がゲル中又は液体中に配置された薬剤器を提供することを目的とするものである。
【課題を解決するための手段】
【０００７】
前記課題を解決するために本発明にあっては、ゲル中又は液体中に配置される装飾体であって、比重が前記ゲル又は液体よりも小さい軽素材と、比重が前記ゲル又は液体よりも大きい重素材とにより形成されてなることを特徴とする。
【０００８】
したがって、軽素材と重素材との構成比率により、装飾体が配置されるゲル又は液体に対する当該装飾体全体の比重を任意に設定することができる。よって、装飾体が配置されるゲル又は液体に対する当該装飾体全体の比重を任意に設定することにより、ゲル又は液体中において装飾体を浮かせるか、中間位置に浮遊させるか、底部に位置させるかの所望の上下位置に配置することができ、十分な装飾性を得ることができる。
【０００９】
また、人や動物等を模した装飾体のように配置形態の上下関係が決まっている装飾体の場合、当該装飾体において上部に位置すべき部位を軽素材で形成、下部に位置すべき部位を重素材で形成すれば、上部に位置しなければならない部位が常に上部に位置し、下部に位置しなければならない部位が常に下部に位置するような適正状態での配置を容易に行うことができる。
【００１０】
このとき、前述と同様に、軽素材と重素材との構成比率により、装飾体が配置されるゲル又は液体に対する当該装飾体全体の比重を任意に設定することもできるので、装飾体の前記適正状態での配置を行い、かつゲル又は液体中において装飾体を所望の上下位置に配置することができる。
【００１１】
また、本発明に係る装飾体は、前記軽素材と重素材とをそれぞれ別々に成形して組み立てるようにしてもよいが、前記軽素材と前記重素材との二材により一体成形されることが両素材の結合強度上好ましい。
【００１２】
また、前記軽素材は、比重が液体又はゲルよりも小さければ特に限定されないが、例えば、ポリエチレンやポリプロピレン等の熱可塑性樹脂や熱可塑性樹脂を発泡成形したものであれば、成形上及びコスト上好ましい。また、前記重素材は、比重が液体又はゲルよりも大きければ特に限定されないが、炭酸カルシウム等のフィラー入りポリプロピレンやポリアルキレンオキサイド系吸水性樹脂、熱可塑性ポリウレタン系吸水性樹脂等の吸水性樹脂が挙げられる。これらの内で、吸水性樹脂を用いた場合は、挿入後吸水して膨らむため細口の容器でも挿入できるので好ましく、ポリアルキレンオキサイド系吸水性樹脂、熱可塑性ポリウレタン系吸水性樹脂は薬剤中においても吸水率が高く十分に膨潤するので、大型の装飾体を容器中に配置するこができるので特に好ましい。
【００１３】
また、本発明に係る薬剤器は、内部を透視可能な容器内にゲル状又は液状の薬剤を収容し、この薬剤中に前記装飾体を配置したことを特徴とする。この発明に用いられる薬剤としては、芳香剤、消臭剤、殺虫剤、防虫剤等を挙げることができる。液状の芳香剤の場合、香料をそのまま溶剤に溶解させるか、適当な界面活性剤を使用して可溶化させることにより調整される。
【００１４】
使用される溶剤としては、油溶性溶剤、水溶性溶剤のいずれも使用できる。具体的には、水、エタノール、イソプロパノール、ベンジンアルコール等のアルコール系溶剤、ジメチルエーテル等のエーテル系溶剤、エチルグリコール、プロピレングリコール等のグリコール系溶剤、３メチル−３−メトキシブタノール等のグリコールエーテル系溶剤等の１種又は２種以上を挙げることができる。
【００１５】
使用される界面活性剤としては特に限定されず、アニオン系界面活性剤、カチオン系界面活性剤、非イオン系界面活性剤、両性界面活性剤の１種又は２種以上を混合して用いることができる。
【００１６】
また、本発明に用いられるゲル状の芳香剤は、前述した液状の芳香液を従来公知のゲル化剤例えば、カラギーナン、ジェランガム、寒天、ゼラチン、グアーガム、ペクチン、ローカストビーンガム、キサンタンダム、アルギン酸ソーダ、セルロース誘導体、吸水性樹脂等のゲル化剤を用いてゲル化したゲル化体を使用することができる。
【００１７】
さらに、本発明に係る薬剤器は、前記液状の薬剤に浸漬された吸液芯を有し、この吸液芯を介して前記液状の薬剤を外部に導出して揮散させるものである。係る薬剤器によれば、液状の薬剤を外部に導出して揮散させるタイプの薬剤器であって、液状の薬剤中に装飾体を適正状態で配置し、かつ液状の薬剤中において装飾体を所望の上下位置に配置した薬剤器を得ることができる。
【００１８】
また、本発明に係る薬剤器は、前記容器は上部開口状であって、前記ゲル状の薬剤収容し、該ゲル状の薬剤は揮散性を有する。係る薬剤器によれば、ゲル状の薬剤を容器の上部開口から揮散させるタイプの薬剤器であって、液状の薬剤中に装飾体を適正状態で配置し、かつ液状の薬剤中において装飾体を所望の上下位置に配置した薬剤器を得ることができる。
【発明の効果】
【００１９】
以上説明したように本発明に係る装飾体によれば、軽素材と重素材との構成比率により、装飾体が配置されるゲル又は液体に対する当該装飾体全体の比重を任意に設定することができる。よって、装飾体が配置されるゲル又は液体に対する当該装飾体全体の比重を任意に設定することにより、ゲル又は液体中において装飾体を浮かせるか、中間位置に浮遊させるか、底部に位置させるかの所望の上下位置に配置することができ、十分な装飾性を得ることができる。
【００２０】
また、人や動物等を模した装飾体のように配置形態の上下関係が決まっている装飾体であっても、上部に位置しなければならない部位は常に上部に位置し、下部に位置しなければならない部位は常に下部に位置するような適正状態での配置をゲル中又は液体中において容易に行うことができる。
【００２１】
その結果、装飾体の前記適正状態での配置を可能にし、かつゲル又は液体中において装飾体を所望の上下位置に配置することができる。
【００２２】
また本発明に係る薬剤器によれば、液状の薬剤を外部に導出して揮散させるタイプの薬剤器、あるいはゲル状の薬剤を容器の上部開口から揮散させるタイプの薬剤器であって、液状の薬剤中に装飾体を適正状態で配置し、かつ液状の薬剤中において装飾体を所望の上下位置に配置した薬剤器を得ることができる。
【００２３】
また、重素材としてポリアルキレンオキサイド系吸水性樹脂、熱可塑性ポリウレタン系吸水性樹脂を用いた場合には、挿入後吸水して膨らむため細口の容器でも挿入できるとともに、薬剤中においても吸水率が高く十分に膨潤するので、大型の装飾体を容器中に配置することができる。
【発明を実施するための最良の形態】
【００２４】
以下、本発明の実施の形態を図に従って説明する。
【００２５】
（第１の実施の形態）
図１に示すように、本発明の第１の実施の形態に係る薬剤器１は、上面開口状であって内部が透視可能な透明の容器２と、この容器２の上面開口部に嵌着されたキャップ３を有している。このキャップ３にはその外部から容器２の底部２ａにまで至る吸い上げ芯４が挿通され、この吸い上げ芯４の上端部には濾紙５が取り付けられている。容器２内には、液体芳香剤６が収容されており、この液体芳香剤６中であって容器２の底部２ａ上には、装飾体７が配置されている。
【００２６】
この装飾体７は、図２に示すように人を模した形状であって、頭部７ａと該頭部７ａ以外の部分である胴部７ｂとが一体的に形成されてなる。頭部７ａは液体芳香剤６よりも比重の小さい軽素材８で形成され、胴部７ｂは液体芳香剤６よりも比重の大きい重素材９で形成されている。本実施の形態においては、軽素材８としてポリプロピレン樹脂を使用しており、重素材９として炭酸カルシウム入りポリプロピレンを使用している。そして、装飾体７は、軽素材８であるポリプロピレン樹脂と重素材９である炭酸カルシウム入りポリプロピレンとを用いた２材成型法により、軽素材８からなる頭部７ａと重素材９からなる胴部７ｂとが一体成形されている。
【００２７】
なお、この頭部７ａと胴部７ｂとからなる装飾体７の全体の比重は、液体芳香剤６よりも大きい比重に設定されている。
【００２８】
以上の構成に係る本実施の形態において、装飾体７を液体芳香剤６中に配置すると、液体芳香剤６よりも比重の小さいポリプロピレン樹脂で形成された頭部７ａは常に上方に、液体芳香剤６よりも比重の大きい炭酸カルシウム入りポリプロピレンで形成された胴部７ｂは常に下方に位置することとなる。
【００２９】
したがって、困難性を伴うことなく、単に液体芳香剤６内に装飾体７を投入する簡単な操作により、人を模した装飾体７の頭部７ａが上部に位置し、胴部７ｂが下部に位置する適正状態での配置を容易に行うことができる。また、輸送時に等において、装飾体７が液体芳香剤６中で変動しても、店頭陳列時あるいは使用時には、前記適正状態となる。
【００３０】
また、軽素材８で形成された頭部７ａと重素材９で形成された胴部７ｂとを接合する方法は、接着、螺合、嵌合等従来公知の方法を用いることができる。
【００３１】
さらに、頭部７ａと胴部７ｂとからなる装飾体７の全体の比重は、液体芳香剤６よりも大きい比重に設定されていることから、図１に示したように、液体芳香剤６中において所望の位置である容器２の底部２ａ上に、装飾体７を配置することができる。したがって、装飾体７を前記適正状態で配置し、かつ液体芳香剤６中において装飾体７を所望の上下位置に配置することが可能となる。
【００３２】
なお、容器２内の液体芳香剤６は、吸い上げ芯４により濾紙５に吸い上げられ、濾紙５より空気中に揮散し周囲空間に芳香を付与する。
【００３３】
（第２の実施の形態）
図３に示すように、本発明の第２の実施の形態に係る薬剤器２１は、上面開口状であって内部が透視可能な透明の容器２２と、この容器２２の上面開口部に嵌着されたキャップ２３を有しており、このキャップ２３には複数の通気口２３ａが設けられている。容器２２内には、ゲル状芳香剤２６が収容されており、このゲル状芳香剤２６中の上下中間部には、装飾体７が配置されている。
【００３４】
この装飾体７は、前述の図２に示した第１の実施の形態と同様に人を模した形状であって、頭部７ａと該頭部７ａ以外の部分である胴部７ｂとが一体的に形成されてなる。頭部７ａはゲル状芳香剤２６よりも比重の小さい軽素材８で形成され、胴部７ｂはゲル状芳香剤２６よりも比重の大きい重素材９で形成されている。本実施の形態においては、軽素材８としてポリプロピレン性発泡樹脂を使用しており、重素材９として熱可塑性ポリウレタン系吸水樹脂を使用している。そして、装飾体７は、軽素材８であるポリプロピレン性発泡樹脂と重素材９である熱可塑性ポリウレタン系吸水樹脂とを用いた２材成型法により、軽素材８からなる頭部７ａと重素材９からなる胴部７ｂとが一体成形されている。
【００３５】
なお、この頭部７ａと胴部７ｂとからなる装飾体７の全体の比重は、ゲル状芳香剤２６とほぼ同じ比重に設定されている。
【００３６】
以上の構成に係る本実施の形態において、装飾体７をゲル状芳香剤２６中の上下中間位置に配置すると、該装飾体７の胴部７ｂを形成している熱可塑性ポリウレタン系吸水樹脂はゲル状芳香剤２６中の水分を吸収して膨潤する。そして、ゲル状芳香剤２６よりも比重の小さいポリプロピレン性発泡樹脂で形成された頭部７ａは常に上方に、ゲル状芳香剤２６よりも比重の大きい熱可塑性ポリウレタン系吸水樹脂で形成された胴部７ｂは常に下方に位置することとなる。
【００３７】
したがって、困難性を伴うことなく、単にゲル状芳香剤２６の上下中間位置に装飾体７を配置する簡単な操作により、人を模した装飾体７の頭部７ａが上部に位置し、胴部７ｂが下部に位置する適正状態での配置を容易に行うことができる。また、輸送時に等において、装飾体７がゲル状芳香剤２６中で変動しても、店頭陳列時あるいは使用時には、前記適正状態となる。
【００３８】
さらに、頭部７ａと胴部７ｂとからなる装飾体７の全体の比重は、ゲル状芳香剤２６とほぼ同じ比重に設定されていることから、図３に示したように、ゲル状芳香剤２６中において所望の位置である上下中間位置に、装飾体７を配置した常態を維持することができる。したがって、装飾体７を前記適正状態で配置し、かつゲル状芳香剤２６中において装飾体７を所望の上下位置に配置することが可能となる。
【００３９】
なお、容器２２内のゲル状芳香剤２６は、容器２２内で揮散して通気口２３ａから外部の空気中に揮散し周囲空間に芳香を付与する。
【００４０】
（第３の実施の形態）
図４に示すように、本発明の第３の実施の形態に係る薬剤器３１は、装飾体３７を除いて他の構成は図１に示した第１の実施の形態と同様であり、よって、同一部分については同一符号を付して説明を省略する。
【００４１】
また、装飾体３７は、図５に示すように花（チューリップ）を模した形状であって、花部３７ａと該花部３７ａ以外の部分である茎葉部３７ｂとが一体的に形成されてなる。花部３７ａは液体芳香剤６よりも比重の小さい軽素材８で形成され、茎葉部３７ｂは液体芳香剤６よりも比重の大きい重素材９で形成されている。本実施の形態においては、軽素材８としてポリプロピレン性発泡樹脂を使用しており、重素材９として熱可塑性ポリウレタン系吸水樹脂を使用している。そして、装飾体３７は、軽素材８であるポリプロピレン性発泡樹脂と重素材９である熱可塑性ポリウレタン系吸水樹脂とを用いた２材成型法により、軽素材８からなる花部３７ａと重素材９からなる茎葉部３７ｂとが一体成形されている。
【００４２】
なお、この花部３７ａと茎葉部３７ｂとからなる装飾体３７の全体の比重は、液体芳香剤６よりもやや小さい比重に設定されている。
【００４３】
以上の構成に係る本実施の形態において、装飾体３７を液体芳香剤６中に配置すると、該装飾体３７の茎葉部３７ｂを形成している熱可塑性ポリウレタン系吸水樹脂は液体芳香剤６を吸収して膨潤する。そして、液体芳香剤６よりも比重の小さいポリプロピレン性発泡樹脂で形成された花部３７ａは常に上方に、液体芳香剤６よりも比重の大きい熱可塑性ポリウレタン系吸水樹脂で形成された茎葉部３７ｂは常に下方に位置することとなる。
【００４４】
したがって、困難性を伴うことなく、単に液体芳香剤６内に装飾体３７を投入する簡単な操作により、花を模した装飾体３７の花部３７ａが上部に位置し、茎葉部３７ｂが下部に位置する適正状態での配置を容易に行うことができる。また、輸送時に等において、装飾体３７が液体芳香剤６中で変動しても、店頭陳列時あるいは使用時には、前記適正状態となる。
【００４５】
さらに、花部３７ａと茎葉部３７ｂとからなる装飾体３７の全体の比重は、液体芳香剤６よりもやや小さい比重に設定されていることから、図４に示したように、液体芳香剤６中において所望の位置である容器２の上部の液面近くに、装飾体３７を配置することができる。したがって、装飾体３７を前記適正状態で配置し、かつ液体芳香剤６中において装飾体３７を所望の上下位置に配置することが可能となる。
【００４６】
（第４の実施の形態）
図６に示すように、本発明の第４の実施の形態に係る薬剤器４１は、装飾体３７を除いて他の構成は図３に示した第２の実施の形態と同様であり、よって、同一部分については同一符号を付して説明を省略する。
【００４７】
また、装飾体３７は、前述の図５に示した第３の実施の形態と同様に花（チューリップ）を模した形状であって、花部３７ａと該花部３７ａ以外の部分である茎葉部３７ｂとが一体的に形成されてなる。花部３７ａはゲル状芳香剤２６よりも比重の小さい軽素材８で形成され、茎葉部３７ｂはゲル状芳香剤２６よりも比重の大きい重素材９で形成されている。本実施の形態においては、軽素材８としてポリプロピレン性発泡樹脂を使用しており、重素材９として熱可塑性ポリウレタン系吸水樹脂を使用している。そして、装飾体３７は、軽素材８であるポリプロピレン性発泡樹脂と重素材９である熱可塑性ポリウレタン系吸水樹脂とを用いた２材成型法により、軽素材８からなる花部３７ａと重素材９からなる茎葉部３７ｂとが一体成形されている。
【００４８】
なお、この花部３７ａと茎葉部３７ｂとからなる装飾体３７の全体の比重は、ゲル状芳香剤２６とほぼ同じ比重に設定されている。
【００４９】
以上の構成に係る本実施の形態において、装飾体３７をゲル状芳香剤２６中の上下中間位置に配置すると、該装飾体３７の茎葉部３７ｂを形成している熱可塑性ポリウレタン系吸水樹脂はゲル状芳香剤２６中の水分を吸収して膨潤する。そして、ゲル状芳香剤２６よりも比重の小さいポリプロピレン性発泡樹脂で形成された花部３７ａは常に上方に、ゲル状芳香剤２６よりも比重の大きい熱可塑性ポリウレタン系吸水樹脂で形成された茎葉部３７ｂは常に下方に位置することとなる。
【００５０】
したがって、困難性を伴うことなく、単にゲル状芳香剤２６の上下中間位置に装飾体３７を配置する簡単な操作により、花を模した装飾体３７の花部３７ａが上部に位置し、茎葉部３７ｂが下部に位置する適正状態での配置を容易に行うことができる。また、輸送時に等において、装飾体３７がゲル状芳香剤２６中で変動しても、店頭陳列時あるいは使用時には、前記適正状態となる。
【００５１】
さらに、花部３７ａと茎葉部３７ｂとからなる装飾体３７の全体の比重は、ゲル状芳香剤２６とほぼ同じ比重に設定されていることから、図６に示したように、ゲル状芳香剤２６中において所望の位置である上下中間位置に、装飾体３７を配置することができる。したがって、装飾体３７を前記適正状態で配置し、かつゲル状芳香剤２６中において装飾体３７を所望の上下位置に配置することが可能となる。
【図面の簡単な説明】
【００５２】
【図１】本発明の第１の実施の形態を示す模式断面図である。
【図２】第１及び第２の実施の形態における装飾体を示す正面図である。
【図３】本発明の第２の実施の形態を示す模式断面図である。
【図４】本発明の第３の実施の形態を示す模式断面図である。
【図５】第３及び第４の実施の形態における装飾体を示す正面図である。
【図６】本発明の第４の実施の形態を示す模式断面図である。
【符号の説明】
【００５３】
１        薬剤器
２        容器
２ａ      底部
４        吸い上げ芯
６        液体芳香剤
７        装飾体
７ａ      頭部
７ｂ      胴部
８        軽素材
９        重素材
２１      薬剤器
２２      容器
２３ａ    通気口
２６      ゲル状芳香剤
３１      薬剤器
３７      装飾体
３７ａ    花部
３７ｂ    茎葉部
４１      薬剤器
【図１】
2005153191.tif 000003
【図２】
2005153191.tif 000004
【図３】
2005153191.tif 000005
【図４】
2005153191.tif 000006
【図５】
2005153191.tif 000007
【図６】
2005153191.tif 000008